(57)【要約】【課題】ユーザの要求に応じて論理空間を分割することが可能なデータ記憶装置及びデータ制御方法を提供する。【解決手段】アプリケーションが論理空間の分割可能なサイズの取得を要求すると、ホスト機器１０がコマンド（Get Max Size）を不揮発性半導体記憶装置２０に送信する。メモリ制御部２３は、ホストインターフェース部２１を介してコマンド（Get Max Size）を受信すると、フラッシュメモリ２２が有する論理空間において未使用の論理ブロックを探索することにより論理空間の分割可能な最大サイズを算出し、論理空間の分割可能な最大サイズをホスト機器１０に送信する。【選択図】図１
2008102774.tif 000002
【特許請求の範囲】
【請求項１】
少なくとも１以上の論理ユニットからなる論理空間を有するメモリを備え、ホスト機器に対して着脱自在に接続されるデータ記憶装置において、
上記論理空間を管理する論理空間管理テーブルと、
上記論理空間管理テーブルの管理動作を制御するとともに、上記ホスト機器より上記論理空間を分割する要求がなされた際、上記論理空間において未使用の論理ブロックを探索して当該未使用の論理ブロックからなる論理空間を上記論理空間から分割し、得られた複数の論理空間をそれぞれ異なる論理ユニットとして管理する制御を行う制御手段と
を備えることを特徴とするデータ記憶装置。
【請求項２】
上記ホスト機器より上記論理ユニットを結合する要求がなされた際、上記分割処理によって得られた複数の論理ユニットを結合することを特徴とする請求項１記載のデータ記憶装置。
【請求項３】
上記制御手段は、データが書き込まれている論理ユニットにおいても上記未使用の論理ブロックを探索することを特徴とする請求項１記載のデータ記憶装置。
【請求項４】
上記制御手段は、上記ホスト機器より上記論理空間の分割可能な最大サイズの取得を要求するコマンドを受信した際、上記論理空間において未使用の論理ブロックを探索することにより上記論理空間の分割可能な最大サイズを算出して上記ホスト機器に提示することを特徴とする請求項１記載のデータ記憶装置。
【請求項５】
上記制御手段は、上記ホスト機器よりユーザによって指定されたサイズの論理空間を分割する要求がなされた際、上記ユーザによって指定されたサイズと上記論理空間における分割可能な最大サイズとを比較し、上記論理空間における分割可能な最大サイズが上記ユーザによって指定されたサイズ以上である場合は当該ユーザによって指定されたサイズ分の未使用の上記論理ブロックからなる論理空間を上記論理空間から分割し、上記論理空間における分割可能な最大サイズが上記ユーザによって指定されたサイズ未満である場合は当該分割処理を行わないことを特徴とする請求項１記載のデータ記憶装置。
【請求項６】
上記制御手段は、上記論理ユニットに読み出し及び／又は書き込みを許可するフラグを設定することを特徴とする請求項１記載のデータ記憶装置。
【請求項７】
上記制御手段は、上記論理ユニットにＩＤ及び／又はパスワードを設定することを特徴とする請求項１記載のデータ記憶装置。
【請求項８】
少なくとも１以上の論理ユニットからなる論理空間を有するメモリを備え、ホスト機器に対して着脱自在に接続されるデータ記憶装置に用いられるデータ制御方法であって、
上記論理空間を管理する論理空間管理テーブルの管理動作を制御するとともに、上記ホスト機器より上記論理空間を分割する要求がなされた際、上記論理空間において未使用の論理ブロックを探索して当該未使用の論理ブロックからなる論理空間を上記論理空間から分割し、得られた複数の論理空間をそれぞれ異なる論理ユニットとして管理する制御を行うことを特徴とするデータ制御方法。
【発明の詳細な説明】
【技術分野】
【０００１】
本発明は、メモリ内の論理空間を分割することが可能なデータ記憶装置及びデータ制御方法に関する。
【背景技術】
【０００２】
従来より、記憶装置等におけるメモリ領域を用途別に使用するために論理空間を所定数の領域に分割する技術がある。
【０００３】
例えば、以下の特許文献１には、パーティション単位で消去、書き込み及び読み出しを同時に実行できる不揮発性半導体記憶装置について記載されており、この特許文献１には、この不揮発性半導体記憶装置に用いられるパーティションが複数のメモリブロックを含み、１つのパーティションに含まれるメモリブロックの個数を外部からのコマンド制御によって変更することができる旨が記載されている。
【０００４】
【特許文献１】特許第３６９９８９０号公報
【発明の開示】
【発明が解決しようとする課題】
【０００５】
しかしながら、一般的に、メモリをパーティションにより分割する場合には、初期化されて完全に空き領域となったメモリに対してのみパーティションを設定することができ、
メモリにデータが書き込まれた状態でパーティションの構成を変更することができなかった。
【０００６】
本発明は、このような従来の実情に鑑みて提案されたものであり、データが書き込まれているメモリ領域においてもユーザの要求に応じて論理空間を所定数の論理空間に分割することが可能なデータ記憶装置及びデータ制御方法を提供することを目的とする。
【課題を解決するための手段】
【０００７】
上述した目的を達成するために、本発明は、少なくとも１以上の論理ユニットからなる論理空間を有するメモリを備え、ホスト機器に対して着脱自在に接続されるデータ記憶装置において、上記論理空間を管理する論理空間管理テーブルと、上記論理空間管理テーブルの管理動作を制御するとともに、上記ホスト機器より上記論理空間を分割する要求がなされた際、上記論理空間において未使用の論理ブロックを探索して当該未使用の論理ブロックからなる論理空間を上記論理空間から分割し、得られた複数の論理空間をそれぞれ異なる論理ユニットとして管理する制御を行う制御手段とを備えることを特徴とする。
【０００８】
また、上述した目的を達成するために、本発明は、少なくとも１以上の論理ユニットからなる論理空間を有するメモリを備え、ホスト機器に対して着脱自在に接続されるデータ記憶装置に用いられるデータ制御方法であって、上記論理空間を管理する論理空間管理テーブルの管理動作を制御するとともに、上記ホスト機器より上記論理空間を分割する要求がなされた際、上記論理空間において未使用の論理ブロックを探索して当該未使用の論理ブロックからなる論理空間を上記論理空間から分割し、得られた複数の論理空間をそれぞれ異なる論理ユニットとして管理する制御を行うことを特徴とする。
【発明の効果】
【０００９】
本発明によれば、データが書き込まれている論理ユニットにおいてもコマンドが要求するメモリ容量に応じた空き領域を探索することにより、メモリ領域をユーザの用途に応じて有効活用することが可能となる。
【発明を実施するための最良の形態】
【００１０】
以下、本発明を適用した具体的な実施の形態について、図面を参照しながら詳細に説明する。本実施の形態では、本発明に係るデータ記憶装置として不揮発性半導体記憶装置を適用する。
【００１１】
図１は、本発明を適用した一実施の形態に係るデータ通信システム１の構成を示す図である。データ通信システム１は、ホスト機器１０と、ホスト機器１０と着脱自在に接続可能な不揮発性半導体記憶装置２０とから構成される。
【００１２】
ホスト機器１０は、例えばデジタルカメラ等のＣＥ（Consumer Electronics）機器やパーソナルコンピュータとすることが可能であり、ＣＰＵ（Central Processing Unit）と、ＲＯＭ（Read Only Memory）と、ＲＡＭ（Random Access Memory）とが内部バスに接続された一般的な情報処理装置としての内部構成を備える。
【００１３】
ホスト機器１０は、不揮発性半導体記憶装置２０との間でＳＣＳＩ（Small Computer System Interface）を用いてデータ及びコマンドの送受信を行う。
【００１４】
不揮発性半導体記憶装置２０は、ホストインターフェース部２１と、フラッシュメモリ２２と、フラッシュメモリ２２を制御するメモリ制御部２３とを備える。また、不揮発性半導体記憶装置２０は、ＣＰＵ、ＲＯＭ、ＲＡＭ等（図示せず）を備えており、ＣＰＵがＲＯＭに記憶されているプログラムを読み出し、このプログラムをＲＡＭ上に展開して実行することによりデータ処理全般を制御する。また、ＲＡＭは、論理ブロックの現在の使用状態（使用、未使用等）を示す情報が格納された論理ブロックリストを管理するとともに、論理ブロックアドレスと物理ブロックアドレスとを対応付けて管理する論理空間管理テーブル２４を有する。
【００１５】
また、不揮発性半導体記憶装置２０が備えるＲＯＭには、フラッシュメモリ２２の論理空間の分割又は結合処理を行うためのアプリケーションプログラムが書き込まれており、このアプリケーションプログラムは、ホスト機器１０のＲＡＭ上で展開されて実行される。なお、このアプリケーションは、ユーザによってホスト機器１０にインストールされて実行されるようにしてもよい。
【００１６】
このアプリケーションは、ユーザの要求に基づいて不揮発性半導体記憶装置２０が備えるフラッシュメモリ２２の論理空間の分割又は結合処理を実行するために、例えば図２及び図３に示すような分割処理のためのコマンド、結合処理のためのコマンド、及び論理ユニットにセキュリティ機能を設定するためのコマンドを発行する。なお、これらのコマンドに基づく論理空間の分割処理又は結合処理についての詳細は後述する。
【００１７】
ホストインターフェース部２１は、ホスト機器１０に対してデータの送受信を行う。また、ホストインターフェース部２１は、ホスト機器１０が実行するアプリケーションによって発行されたコマンドを受信し、コマンドの内容をメモリ制御部２３に通知する。
【００１８】
フラッシュメモリ２２は、図４に示すように、Ｎ＋１個の物理ブロックからなる物理空間２２１とＮ＋１個の論理ブロックからなる論理空間２２２とを有する。
【００１９】
物理空間２２１を構成する物理ブロックは、データが記憶される物理的な空間であり、各物理ブロックには、物理ブロックアドレスｎ（ｎ＝０，１，・・・，Ｎ）が付されている。
【００２０】
論理空間２２２を構成する論理ブロックは、ホスト機器１０によってデータの上書き、読み出し等の処理が行われる際に処理対象となるデータが書き込まれる空間であり、各論理ブロックは、不揮発性半導体記憶装置２０の仮想メモリ上のインデックス値である論理ブロックアドレス（０，１，・・・，Ｍ）が付されている。また、論理空間２２２では、所定数の論理ブロックからなる論理空間が１つの論理ユニットとされ、各論理ユニットは、順にＬＵＮ０，ＬＵＮ１，・・・，ＬＵＮＫといった論理ユニット番号（ＬＵＮ：Logical Unit Number）が付されている。例えば図４に示す論理ブロック０，論理ブロック１，・・・，論理ブロック５からなる論理空間は、ＬＵＮ０として管理されている。
【００２１】
メモリ制御部２３は、アプリケーションが発行する所定のコマンドに基づいて論理空間２２２において、データが書き込まれていない論理ブロック、すなわち未使用の論理ブロックを探索し、この未使用の論理ブロックからなる論理空間を元の論理空間から分割し、この分割処理により得られた複数の論理空間をそれぞれ異なる論理ユニット（ＬＵＮ０，ＬＵＮ１，・・・，ＬＵＮＫ）として論理空間管理テーブル２４内で管理する。
【００２２】
論理空間管理テーブル２４は、データが書き込まれている論理ブロック、すなわち使用済みの論理ブロックの数、未使用の論理ブロックの数、論理ブロックアドレス（０，１，・・・，Ｍ）とＬＵＮ（ＬＵＮ０，ＬＵＮ１，・・・，ＬＵＮＫ）との対応、論理ユニット数、論理ユニット番号（ＬＵＮ）、論理空間の使用容量、論理空間の空き容量等の情報を論理空間リストとして管理する。また、論理空間管理テーブル２４は、データ処理対象となる論理ブロック２２２に付与される論理ブロックアドレスを物理ブロック２２１に付与される物理ブロックアドレスとを対応付けて管理する。
【００２３】
メモリ制御部２３は、このような論理空間管理テーブル２４の管理動作を制御する。例えば、メモリ制御部２３は、ホスト機器１０よりホストインターフェース部２１を介してフラッシュメモリ２２内の論理ブロックリストの取得を要求するコマンド（Get LUN List）を受信すると、この論理ブロックリストの情報をホスト機器１０に送信する。また、メモリ制御部２３は、ホスト機器１０よりホストインターフェース部２１を介してフラッシュメモリ２２に記憶されているデータの読み出し、書き込み、消去等を要求するコマンドを受信すると、論理空間管理テーブル２４を参照し、読み出し、書き込み、消去等の対象となるデータが記憶されている論理ブロックの論理ブロックアドレスを物理ブロックアドレスに変換し、この物理ブロックアドレスが付されたデータが記憶されている物理ブロックを特定することにより、データの読み出し、書き込み、消去等を行う。
【００２４】
また、メモリ制御部２３は、例えば図５に示すように、ＬＵＮ０，・・・，ＬＵＮｎで表される各論理ユニットに、フラグ、ＩＤ、パスワード等のセキュリティ機能を設定することもできる。ここで、フラグＲは読み出し処理のみが可能であることを示し、フラグＷは書き込み処理のみが可能であることを示し、フラグＲ／Ｗは読み出し、書き込みの何れも可能であることを示す。ＩＤ及びパスワードは、各論理ユニットへアクセスする際に必要なロック解除の役割を果たす。
【００２５】
例えば、ユーザは、ＬＵＮ０に対してＩＤ、パスワードを入力せずにアクセスでき、また、読み出し処理、書き込み処理の何れも行うことができる。また、ユーザは、ＬＵＮ１に対してＩＤ０００１、パスワードａｂｃｄを入力することによりアクセスでき、また、読み出し処理のみを行うことができる。また、ユーザは、ＬＵＮｎに対してＩＤ１１１１、パスワードｖｗｘｙを入力することによりアクセスでき、また、読み出し処理、書き込み処理の何れも行うことができる。
【００２６】
次に、不揮発性半導体記憶装置２０における論理空間２２２の分割処理及び結合処理について説明する。
【００２７】
図６は、不揮発性半導体記憶装置２０における論理空間の分割処理の一例を説明するためのフローチャートである。
【００２８】
分割処理が開始されると、ステップＳ１において、ホスト機器１０は、アプリケーションを起動させる。アプリケーションは、例えば図２に示すように、分割処理のためのコマンド、論理ユニットにセキュリティ機能を設定するためのコマンド等を発行する。アプリケーションが論理空間リストの取得を要求すると、ホスト機器１０がコマンド（Get LUN List）を不揮発性半導体記憶装置２０に送信する。メモリ制御部２３は、ホストインターフェース部２１を介してコマンド（Get LUN List）を受信すると、論理空間管理テーブル２４に記憶されている論理空間リストに記載されている使用済みの論理ブロックの数、未使用の論理ブロックの数、論理ブロックアドレス（０，１，・・・，Ｍ）とＬＵＮ（ＬＵＮ０，ＬＵＮ１，・・・，ＬＵＮＫ）との対応、論理ユニット数、論理ユニット番号（ＬＵＮ）、論理空間の使用容量、論理空間の空き容量等の情報をホスト機器１０に送信する。
【００２９】
ステップＳ２において、アプリケーションが論理空間の分割可能な最大サイズの取得を要求すると、ホスト機器１０は、コマンド（Get Max Size）を不揮発性半導体記憶装置２０に送信する。メモリ制御部２３は、ホストインターフェース部２１を介してコマンド（Get Max Size）を受信すると、論理空間２２２内で未使用の論理ブロックを探索することにより論理空間の分割可能な最大サイズを算出し、この論理空間２２２の分割可能な最大サイズをホスト機器１０に送信する。このステップＳ２では、メモリ制御部２３は、データが書き込まれている論理ブロックを有する論理ユニットにおいても未使用の論理ブロックからなる空き領域を探索する。
【００３０】
ステップＳ３において、ユーザがアプリケーション上で分割可能な最大サイズを参照して取得したいサイズを指定すると、ホスト機器１０は、ユーザによって指定されたサイズを半導体記憶装置２０に送信する。
【００３１】
ステップＳ４において、ホスト機器１０は、アプリケーション上でユーザによって指定されたサイズの論理空間を分割するためのコマンド（Divide Logical Unit）を半導体記憶装置２０に送信する。メモリ制御部２３は、ホストインターフェース部２１を介してコマンド（Divide Logical Unit）を受信すると、フラッシュメモリ２２が有する論理空間２２２より、ユーザによって指定されたサイズ分の空き容量を取得する。そして、メモリ制御部２３は、取得した未使用の論理ブロックからなる論理空間を論理空間２２２から分割し、この分割処理によって得られた複数の論理空間をそれぞれ新たに別の論理ユニットとして管理する。
【００３２】
ステップＳ５において、メモリ制御部２３は、ステップＳ４における分割処理によって得られた各論理ユニットのフォーマット処理を行う。
【００３３】
ステップＳ６において、メモリ制御部２３は、ユーザの入力内容に応じて、新たに設定された論理ユニット（ＬＵＮ０，ＬＵＮ１，・・・）についてセキュリティを設定するか否かを決定する。このステップＳ６において、セキュリティが設定されると決定された場合はステップＳ７に進み、メモリ制御部２３は、新たに設定された論理ユニットにフラグ、ＩＤ、パスワード等のセキュリティ機能を設定する。一方、このステップＳ６において、セキュリティが設定されないと決定された場合は、一連の分割処理は終了される。
【００３４】
なお、本実施の形態では、ホスト機器１０が、予めユーザによって指定されたサイズを要求するコマンドを不揮発性半導体記憶装置２０に送信し、メモリ制御部２３が論理空間２２２の分割可能な最大サイズと、予めユーザによって指定されたサイズとを比較し、論理空間２２２の分割可能な最大サイズがユーザによって指定されたサイズ以上である場合にはユーザによって指定されたサイズ分の未使用の論理ブロックからなる論理空間を上記分割処理により取得し、論理空間２２２の分割可能な最大サイズがユーザによって指定されたサイズ未満である場合には上記分割処理を行わないようにしてもよい。
【００３５】
図７は、未使用の物理ブロック（物理ブロック０，・・・，物理ブロック１９）によって構成される物理空間と、未使用の論理ブロック（論理ブロック０，・・・，論理ブロック１９）によって構成される論理空間とを有するメモリの初期状態の一例を示す図である。
【００３６】
図８及び図９は、この図７に示される物理ブロック及び論理ブロックの一部が使用されている状態で論理空間を分割する例を示す図である。例えば、図８（Ａ）に示すように、物理ブロック１３，・・・，物理ブロック１９にそれぞれ対応する論理ブロック１３，・・・，論理ブロック１９からなる論理空間を元の論理空間から分割した場合、図８（Ｂ）に示すように、分割処理によって得られた物理ブロック１３，・・・，物理ブロック１９にそれぞれ対応する論理ブロックには、論理ブロック番号０，・・・，６が順に付与され、この新たに得られた論理ブロック０，・・・，論理ブロック６から構成される論理空間には、論理ユニット番号ＬＵＮ１が付与されて管理される。
【００３７】
また、例えば図９（Ａ）に示すように、物理ブロック５に対応する論理ブロック５、物理ブロック７に対応する論理ブロック７、及び、物理ブロック９，・・・，物理ブロック１３にそれぞれ対応する論理ブロック９，・・・，論理ブロック１３をひとまとめにして元の論理空間から分割した場合、図９（Ｂ）に示すように、物理ブロック５，・・・，物理ブロック１３にそれぞれ対応する論理ブロックには、順に論理ブロック番号０，・・・，６が付与され、この新たに得られた論理ブロック０，・・・，論理ブロック６から構成される論理空間には論理ユニット番号ＬＵＮ１が付与されて管理される。
【００３８】
図１０は、不揮発性半導体記憶装置２０における論理空間の結合処理の一例を説明するためのフローチャートである。
【００３９】
結合処理が開始されると、ステップＳ１１において、ホスト機器１０は、アプリケーションを起動させる。アプリケーションは、例えば図３に示されるコマンドを発行する。
【００４０】
ステップＳ１２において、ホスト機器１０は、コマンド（Get LUN List）を不揮発性半導体記憶装置２０に送信すると、メモリ制御部２３は、フラッシュメモリ２２内に現存する論理ユニット数、論理ユニット番号（ＬＵＮ）、論理ユニットの使用容量、論理ユニットの空き容量等の情報をホスト機器１０に送信する。ホスト機器１０は、不揮発性半導体記憶装置２０より取得したこれらの情報をアプリケーション上でユーザに提示する。
【００４１】
ステップＳ１３において、ユーザがアプリケーション上で提示された情報を参照して結合対象となる論理ユニットを指定すると、ホスト機器１０は、結合対象となる論理ユニットに対する結合処理を要求するコマンド（Unite Logical Unit）を不揮発性半導体記憶装置２０に送信する。メモリ制御部２３は、結合の対象となる論理ユニットの結合処理を行う。
【００４２】
ステップＳ１４において、メモリ制御部２３は、結合処理によって得られた論理空間のフォーマット処理を行い、各論理空間を論理ユニット（ＬＵＮ０，ＬＵＮ１，・・・）として管理する。
【００４３】
ステップＳ１５において、結合処理によって得られた論理ユニットについて、この論理ユニットの情報を更新するとともに各種機能設定を変更する。
【００４４】
ステップＳ１６において、メモリ制御部２３は、ユーザの入力内容に応じて、新たに設定された論理ユニット（ＬＵＮ０，ＬＵＮ１，・・・）についてセキュリティを設定するか否かを決定する。このステップＳ６において、セキュリティが設定されると決定された場合はステップＳ７に進み、メモリ制御部２３は、新たに設定された論理ユニットにフラグ、ＩＤ、パスワード等のセキュリティ機能を設定する。一方、このステップＳ６において、セキュリティが設定されないと決定された場合は、一連の分割処理は終了される。
【００４５】
図１１及び図１２は、この図７に示される物理ブロック及び論理ブロックの一部が使用されている状態で論理空間を結合する例を示す図である。例えば、論理空間がＬＵＮ０とＬＵＮ１とＬＵＮ２とに分割されている場合、ユーザの要求を示すコマンドに応じて、図１１（Ａ）に示すように、ＬＵＮ１における物理ブロック６及び物理ブロック８に記憶されているデータが消去された後に、図１１（Ｂ）に示すように、ＬＵＮ０とＬＵＮ１とが結合されて、新たにＬＵＮ０とＬＵＮ１とからなる論理空間を得るようにしてもよく、また、ユーザの要求を示すコマンドに応じて、図１２（Ａ）に示すように、ＬＵＮの物理ブロック６及び物理ブロック８に記憶されているデータは消去されずに、図１２（Ｂ）に示すように、ＬＵＮ１とＬＵＮ２とが結合されて新たに論理空間ＬＵＮ０とＬＵＮ１とからなる論理空間を得るようにしてもよい。
【００４６】
このように、本発明を適用した一実施の形態に係るデータ通信システム１では、不揮発性半導体記憶装置２０が備えるメモリ制御部２３の制御によって、フラッシュメモリ２２内の論理空間を論理的に分割するため、ホスト機器１０が特別な処理を行うことがなく、ユーザが誤ってデータを破壊してしまう危険性を回避できる。
【００４７】
また、データ通信システム１では、不揮発性半導体記憶装置２０が論理空間毎に、フラグ、ＩＤ、パスワード等のセキュリティ機能の設定を行うことができ、１つの不揮発性半導体記憶装置を複数のユーザが使う場合であっても高いセキュリティを保つことができる。
【００４８】
また、データ通信システム１では、不揮発性半導体記憶装置２０がユーザの要求に応じてフラッシュメモリ２２内の論理空間を分割又は結合するため、１つのメモリ領域を多様な用途で使い分けることが可能である。
【００４９】
なお、本発明は上述した実施の形態のみに限定されるものではなく、本発明の要旨を逸脱しない範囲において種々の変更が可能であることは勿論である。
【図面の簡単な説明】
【００５０】
【図１】本発明を適用した一実施の形態に係るデータ通信システムの構成を示す図である。
【図２】ホスト機器によって実行されるアプリケーションが発行するコマンドの一例を示す図である。
【図３】ホスト機器によって実行されるアプリケーションが発行するコマンドの一例を示す図である。
【図４】フラッシュメモリが有する物理空間及び論理空間を示す図である。
【図５】論理ユニットに設定されるセキュリティ機能の一例を示す図である。
【図６】論理空間の分割処理の一例を説明するためのフローチャートである。
【図７】メモリの初期状態を示す図である。
【図８】論理空間の分割処理の一例を示す図である。
【図９】論理空間の分割処理の一例を示す図である。
【図１０】論理空間の結合処理の一例を説明するためのフローチャートである。
【図１１】論理空間の結合処理の一例を示す図である。
【図１２】論理空間の結合処理の一例を示す図である。
【符号の説明】
【００５１】
１  データ通信システム、１０  ホスト機器、２０  不揮発性半導体記憶装置、２１  ホストインターフェース部、２２  フラッシュメモリ、２３  メモリ制御部、２４  論理空間管理テーブル
【図１】
2008102774.tif 000003
【図２】
2008102774.tif 000004
【図３】
2008102774.tif 000005
【図４】
2008102774.tif 000006
【図５】
2008102774.tif 000007
【図６】
2008102774.tif 000008
【図７】
2008102774.tif 000009
【図８】
2008102774.tif 000010
【図９】
2008102774.tif 000011
【図１０】
2008102774.tif 000012
【図１１】
2008102774.tif 000013
【図１２】
2008102774.tif 000014